(57)【要約】      （修正有）【課題】持ちやすく、且つ安定した積み重ねも可能な箱を提供する。【解決手段】角筒体を形成する４つの板状部材である側面Ｅ〜Ｈと、角筒体の一方の端部を塞いで底面となる板状部材の底面Ｃと、持ち手部Ｄを有した箱１であって、持ち手部は、底面を構成する２つの底面片２０、２２を有する板状部材６を、角筒体の他方の端部である開口部の方向に突出するように山折り状に折り曲げることによって構成されている。【選択図】図１
0003197451.tif 000002
【実用新案登録請求の範囲】
【請求項１】
角筒体を形成する４つの板状部材である側面部と、
前記角筒体の一方の端部を塞いで底面となる板状部材の底面部と、
持ち手部を有した箱であって、
前記持ち手部は、前記底面部を構成する前記板状部材を、前記角筒体の他方の端部である開口部の方向に突出する山折り状に折り曲げることによって構成されていることを特徴とする箱。
【請求項２】
前記角筒体の前記開口部における角部の少なくとも１つには、板状の支持部材が設けられていることを特徴とする、請求項１に記載の箱。
【請求項３】
少なくとも、前記底面部、前記持ち手部、および、折り曲げられた前記持ち手部と隣接する前記側面部は、一枚のシート部材から構成されていることを特徴とする
請求項１または請求項２に記載の箱。
【請求項４】
前記底面部を構成する前記板状部材は、
前記底面部を構成する第一の底面片および第二の底面片と、
前記第一の底面片および前記第二の底面片の間に配置され、折り曲げられることにより前記持ち手部となる山折り片と、
を少なくとも有し、
前記第二の底面片には、前記第一の底面片、前記山折り片および前記第二の底面片が並ぶ方向である並び方向と交差する方向に延出する延出片が設けられ、
前記４つの側面部のうち前記第一の底面片から前記並び方向と交差する方向に延出する前記側面部には、前記延出片が係止可能な第一の係止部が設けられていることを特徴とする請求項１から請求項３のいずれか１項に記載の箱。
【請求項５】
前記底面部を構成する前記板状部材は、
前記底面部を構成する前記第一の底面片および前記第二の底面片と、
前記第一の底面片および前記第二の底面片の間に配置され、折り曲げられることにより前記持ち手部となる前記山折り片と、
を少なくとも有し、
前記４つの側面部のうち前記第一の底面片および前記第二の底面片の少なくとも一方から前記並び方向へ延出する前記側面部には、前記角筒体の内側へ折り曲げることにより、隣接する前記側面部から延びる内側片を間に挟んで保持する係止片が設けられ、
前記山折り片には、折り曲げられた前記係止片の先端が係止可能な第二の係止部が設けられていることを特徴とする請求項１から請求項４のいずれか１項に記載の箱。
【請求項６】
前記開口部に対して着脱可能に配置される板状の部材であって、前記開口部を覆って配置する際に前記持ち手部が挿通するスリットが設けられた蓋部を更に備えたことを特徴とする、請求項１から請求項５のいずれか１項に記載の箱。
【考案の詳細な説明】
【技術分野】
【０００１】
本考案は、段ボールなどのシート部材から構成される持ち手のついた箱に関する。
【背景技術】
【０００２】
従来、段ボールなどのシート部材から構成される箱は、野菜等の梱包に広く用いられている。そして、箱の機能を向上させるために様々な提案がなされている（例えば、特許文献１参照。）。
【先行技術文献】
【特許文献】
【０００３】
【特許文献１】特開２０１１−１４８５３７号公報
【考案の概要】
【考案が解決しようとする課題】
【０００４】
従来のシート部材から構成される箱は、持ち手となる部分がないか、持ち手となる部分があっても箱の側面に穴を空ける程度のものであったため、箱を持つ時には両手で持たなければならず、持ちにくいという問題があった。箱の上側の部分に把手の様な構造をした持ち手部を設ければ持ちやすくはなるものの、そのような持ち手を設けた場合には、持ち手部が邪魔となり、箱を積み重ねにくいという問題もあった。
【０００５】
本考案は、上記の課題を解決するためになされたものであって、持ちやすく、且つ安定した積み重ねも可能な箱を提供することを目的とする。
【課題を解決するための手段】
【０００６】
上記目的を達成するために、本考案は、以下の手段を提供する。
本考案の箱は、角筒体を形成する４つの板状部材である側面部と、前記角筒体の一方の端部を塞いで底面となる板状部材の底面部と、持ち手部を有した箱であって、前記持ち手部は、前記底面部を構成する前記板状部材を、前記角筒体の他方の端部である開口部の方向に突出する山折り状に折り曲げることによって構成されていることを特徴とする。
【０００７】
本考案の箱によれば、持ち手部が底面部を構成する板状部材を山折り状に折り曲げられて構成されているため、持ち手部が箱の底面と一体となっている。また、この持ち手部は、底面側から見ると谷折り状になっており、その谷折り状となった板状部材にて挟まれる部分は、持ち手部とほぼ同じ大きさの空間となっている。この空間には他の箱の持ち手部を挿入することが可能で、複数の箱を積み重ねる際に下側に配置される箱の持ち手部を挿入することができる。
【０００８】
上記考案において、更に前記角筒体の前記開口部における角部の少なくとも１つには、板状の支持部材が設けられていることを特徴とすることが好ましい。
このようにすることにより、複数の箱を積み重ねた場合、上側に積み重ねられた箱の底面部は、下側の箱の開口部の角部に設けられた板状の支持部材によって支えられることになる。
【０００９】
上記考案において、少なくとも、前記底面部、前記持ち手部、および、折り曲げられた前記持ち手部と隣接する前記側面部は、一枚のシート部材から構成されていることを特徴とすることが好ましい。
【００１０】
このようにすることにより、製造、および組み立ての容易な箱を提供することが可能となる。
上記考案において、前記底面部を構成する前記板状部材は、前記底面部を構成する第一の底面片および第二の底面片と、前記第一の底面片および前記第二の底面片の間に配置され、折り曲げられることにより前記持ち手部となる山折り片とを少なくとも有し、前記第二の底面片には、前記第一の底面片、前記山折り片および前記第二の底面片が並ぶ方向である並び方向と交差する方向に延出する延出片が設けられ、前記４つの側面部のうち前記第一の底面片から前記並び方向と交差する方向に延出する前記側面部には、前記延出片が係止可能な第一の係止部が設けられていることを特徴とすることが好ましい。
【００１１】
このようにすることにより、箱の組み立ての際、二つの底面片の間に配置されている山折り片を折り曲げて持ち手部を形成するときに、第二の底面片の延出部を隣接する側面部に設けられた係止部に係止することができる。このようにすれば、箱の組み立ての途中で、山折り状に折られた山折り片を所望の位置で固定することができる。
【００１２】
上記考案において、前記底面部を構成する前記板状部材は、前記底面部を構成する前記第一の底面片および前記第二の底面片と、前記第一の底面片および前記第二の底面片の間に配置され、折り曲げられることにより前記持ち手部となる前記山折り片とを少なくとも有し、前記４つの側面部のうち前記第一の底面片および前記第二の底面片の少なくとも一方から前記並び方向へ延出する前記側面部には、前記角筒体の内側へ折り曲げることにより、隣接する前記側面部から延びる内側片を間に挟んで保持する係止片が設けられ、前記山折り片には、折り曲げられた前記係止片の先端が係止可能な第二の係止部が設けられていることを特徴とすることが好ましい。
【００１３】
このようにすれば、係止片が延出している側面部は、当該係止片が山折り片の第二の係止部に係止されることによって固定される。また、係止片が延出している側面部と隣接する側面部は、その側面部から延出している内側片が、前記係止片によって挟み込まれることにより保持、固定される。
【００１４】
上記考案において、前記開口部に対して着脱可能に配置される板状の部材であって、前記開口部を覆って配置する際に前記持ち手部が挿通するスリットが設けられた蓋部を更に備えていることを特徴とすることが好ましい。
【００１５】
蓋部によって箱の開口部は覆われ、外部から異物等が箱の内部に侵入することを抑制することができる。この際、持ち手部は蓋部のスリットを貫通するため、蓋部が開口部を覆う際の妨げになることはない。
【考案の効果】
【００１６】
本考案の箱によれば、箱と一体となった持ち手部が設けられていることから、持ちやすい箱を提供することができる。この持ち手部は、底面側から見ると谷折り状になっており、その谷折り状となった板状部材にて挟まれる部分は、持ち手部とほぼ同じ大きさの空間となっている。この空間には他の箱の持ち手部を挿入することが可能で、複数の箱を積み重ねる際、下側に配置される箱の持ち手部を挿入することができる。このようにすることで、持ち手部が箱の積み重ねの妨げになることなく、複数の箱を積み上げることが可能となる。また、下側の箱の持ち手部が、上側の箱の当該空間に挿入されて係止されるため、複数の箱を安定的に積み上げることも可能となる。
【図面の簡単な説明】
【００１７】
【図１】図１（ａ）は本考案の一実施形態に係る箱を上側から見た斜視図である。図１（ｂ）は、本考案の一実施形態に係る箱を下側から見た斜視図である。
【図２】本考案の一実施形態に係る２つの箱を積み上げた際の斜視図である。
【図３】本考案の一実施形態に係る箱の展開図である。
【図４】本考案の一実施形態の変形例に係る箱の展開図である。
【図５】本考案の一実施形態に係る箱の組み立てを説明する組み立て図である。
【図６】本考案の一実施形態に係る箱の組み立てを説明する組み立て図である。
【図７】本考案の一実施形態に係る箱の組み立てを説明する組み立て図である。
【図８】本考案の一実施形態に係る箱の組み立てを説明する組み立て図である。
【図９】本考案の一実施形態に係る箱の組み立てを説明する組み立て図である。
【図１０】本考案の一実施形態に係る箱の組み立てを説明する組み立て図である。
【考案を実施するための形態】
【００１８】
この考案の一実施形態に係る箱について、図１から図１０を参照しながら説明する。なお、本実施形態では野菜などを包装する箱に適用した場合を説明するが、内容物は果物や工業製品、家庭雑貨など様々なものであってよく、特にこれらに限定される訳ではない。また、以降の説明において上下方向、左右方向、前後方向は、図中に示されている方向とする。
【００１９】
本実施形態に係る箱１は、図１（ａ）に示す様な、略立方体の容器に持ち手部が設けられたトレー状の容器であり、段ボールなどのシート部材から形成されている。なお、箱１を構成するシート部材は段ボールシートに限定される訳ではなく、ボール紙やその他の材料から形成された板状の部材であっても構わない。
【００２０】
箱１は、収納空間Ａおよび収納空間Ｂを有しており、４つの側面Ｅ〜側面Ｈからなる角筒体と、角筒体の下側の開口部を覆う底面Ｃと、底面Ｃから角筒体の上側の開口部に向かって延びる持ち手部Ｄとから主に構成されている。側面Ｅと側面Ｇは、互いに平行に向かい合い、側面Ｆと側面Ｈも互いに平行に向かい合っている。側面Ｅ〜側面Ｈのそれぞれの上側の辺が箱１の開口部となっており、下側の辺は、底面Ｃと接合している。
【００２１】
底面Ｃは、底面片２０と底面片２２から主に構成されている。底面Ｃの中心付近、即ち側面Ｆおよび側面Ｈの下側の辺のそれぞれの中点を結ぶ直線上の付近から、側面Ｅおよび側面Ｇと略平行に、持ち手部Ｄが延びている。持ち手部Ｄは、一枚の板状部材である山折り片６が山折り線１１にて折り曲げられて形成されており、その断面は略逆Ｖ字の形状をしている。持ち手部Ｄが底面Ｃと接する辺は、それぞれ折り線４０および折り線４１を介して底面片２０および底面片２２と接合している。持ち手部Ｄは、底面Ｃから側面Ｆと側面Ｈの上側の辺のそれぞれの中点を結ぶ線をとおって開口部の方向に延びている。この持ち手部Ｄの高さ（上下方向の長さ）は箱１の高さよりも高く（長く）、持ち手部Ｄの上側の端部は、箱１の開口部の面よりも上側に突出している。
【００２２】
この側面Ｅ、側面Ｆ、側面Ｈおよび持ち手部Ｄにて囲まれた部分が収納空間Ａとなっており、側面Ｆ、側面Ｇ、側面Ｈおよび持ち手部Ｄにて囲まれた部分が収納空間Ｂとなっている。収納空間Ａおよび収納空間Ｂは、内容物を収納する部分であり、本実施形態では、それぞれ略同一の体積となっている例に適用して説明する。なお、収納空間Ａおよび収納空間Ｂの体積は、上述のように略同一であってもよいし、異なっていてもよく特に限定するものではない。以降、箱１の内側（収納空間Ａ、収納空間Ｂ側）を単に内側と、箱１の外側を単に外側と記載する。
【００２３】
持ち手部Ｄには、持ち手となる開口１３が設けられている。使用者は、この開口１３に指などを挿入することで持ち手部Ｄを保持することができ、箱１を容易に持つことができる。持ち手部Ｄが箱１の底面Ｃの中心付近に設けられ、収納空間Ａと収納空間Ｂの体積が略同一となっていることから、箱１を持った際にバランスが取れた持ちやすい箱となっている。
【００２４】
箱１の開口部のそれぞれの角には、開口部の一部を覆う扇状の板状部材の支持部７Ｌ、支持部７Ｒ、支持部８Ｌ、支持部８Ｒがそれぞれ設けられている。（以降、支持部７Ｌ、支持部７Ｒ、支持部８Ｌ、支持部８Ｒを総称して単に支持部７Ｌ等と記載する。）この支持部７Ｌ等は、複数の箱１を積み上げる際に、上側に隣接する箱１の底面Ｃと接し、上側の箱１を面で支える部分である。
【００２５】
図１（ｂ）に示すように、底面Ｃ側から見て折り曲げられた山折り片６に挟まれた領域は、挿入空間２１となっている。挿入空間２１は、持ち手部Ｄと略同一の大きさの空間であり、挿入空間２１には、他の箱１の持ち手部Ｄを挿入することが可能である。
【００２６】
箱１は、その底面Ｃにこのような挿入空間２１を有するため、複数の箱１を重ねる際に下側に隣接する箱１の持ち手部Ｄを上側の箱１の挿入空間２１に収容するように挿入することができる。このため、複数の箱１を積み重ねたとしても、持ち手部Ｄが箱１の積み重ねの妨げになりにくい。また、上側の箱１と下側の箱１が、持ち手部Ｄおよび挿入空間２１によって係止されるため、積み上げられた箱１が左右方向または前後方向にずれることを抑制できる。
【００２７】
箱１は、図２に示すように蓋部１００を備えることができる。蓋部１００は、箱１の開口部を覆う板状部材であり、その蓋部１００の略中心付近であって、箱１の開口部を覆った際に持ち手部Ｄと対向する位置にはスリット１１０が設けられている。このため、蓋部１００によって箱１の開口部を覆う際に、持ち手部Ｄをスリットに挿入することが可能となる。この蓋部１００は箱１の開口部よりも大きな面積を有しており、側面Ｆおよび側面Ｈの上側の辺と隣接する辺からは折り曲げ片１２０がそれぞれ延出している。このような折り曲げ片１２０を設ければ、箱１の内側に外から異物が入ってしまうことを効果的に抑制することができる。なお、蓋部１００に折り曲げ片１２０を設けない構成としてもよく、更には、この蓋部１００を設けない構成としても構わない。
【００２８】
箱１は、図３に示す様な左右対称の一枚のシート部材２００から形成されている。シート部材２００は、主に側面片２〜５、底面片２０、底面片２２、および山折り片６から構成されている。このように一枚のシート部材２００から箱１を形成すれば、箱１の製造および組み立ても容易である。
【００２９】
シート部材２００の略中央に設けられている山折り片６は、折り曲げられて持ち手部Ｄとなる部分であり、略長方形の形状をしている。山折り片６の中央には、左右方向に延びる山折り線１１が設けられている。また、山折り片６の前後方向に延びる２つの辺の中央付近には、略Ｖ字状の切り込みがそれぞれ左右対称に設けられている。この略Ｖ字状の切り込みは、山折り線１１の端部まで延びている。
【００３０】
山折り片６は、山折り線１１を中心とした線対称の形状をしており、山折り線１１の近くには、二つの開口１３がそれぞれ設けられている。
山折り片６の前側の辺からは、折り線４０を介して底面片２０が前側に延出している。なお、底面片２０は、箱１の底面Ｃの一部を構成する部分であり、実用新案登録請求の範囲における第一の底面片とされる部分である。また、この底面片２０、山折り片６および後述する底面片２２が並ぶ方向が、実用新案登録請求の範囲における並び方向とされる方向である。
【００３１】
底面片２０の、折り線４０と向かい合う前側の辺からは、折り線４２を介して側面片２が延出している。さらに、底面片２０の左側の辺からは、折り線４６を介して側面片５が延出し、底面片２０の右側の辺からは、折り線４７を介して側面片４が延出している。この側面片４および側面片５は、それぞれ後ろ側に延びている。
【００３２】
側面片２の前側の辺の左側の端部からは、２つの辺と円弧からなる扇状の形状をした支持部７Ｌが、一方の辺において、折り線５２を介して延出している。そして、支持部７Ｌの側面片２と接していない他の辺からは、折り線５４を介して係止片３０Ｌが延出している。係止片３０Ｌは、折り線５４から前側に延びる略Ｌ字型の形状をしており、内側片３１Ｌと隣接する後ろ側の辺は、その中心付近から前側に傾斜している。係止片３０Ｌの前側の辺の右側の端部には、切り欠き３５が設けられている。また、係止片３０Ｌの左側の辺は、折り線４６の延びた線と平行になっており、箱１を組み立てた際には、係止片３０Ｌの左側の辺が底面片２０と近接、または当接するようになっている。
【００３３】
側面片２の前側の辺の右の端部からも同様に、扇状の形状をした支持部７Ｒが、折り線５３を介して延出しており、支持部７Ｒの側面片２と接していない他の辺からは、折り線５５を介して係止片３０Ｒが延出している。係止片３０Ｒは係止片３０Ｌと左右対称の形状をしており、前側の辺の左側の端部には切り欠き３５が設けられている。また、係止片３０Ｒの右側の辺は、折り線４７の延びた線と平行になっており、箱１を組み立てた際には、係止片３０Ｒの左側の辺が底面片２０と近接、または当接するようになっている。
【００３４】
この係止片３０Ｌおよび係止片３０Ｒは、箱１の組み立ての際に、それぞれ折り線５２〜折り線５５によって内側に折られ、側面片５および側面片４の内側の面に当接するように配置される部分である。
【００３５】
側面片５の前側の辺からは、折り線４８を介して内側片３１Ｌが前側に延びている。また、同様に側面片４の前側の辺からは、折り線４９を介して内側片３１Ｒが前側に延びている。この内側片３１Ｌおよび内側片３１Ｒは、折り線４８および折り線４９にて内側に折り曲げられ、側面片２の内側の面に当接するように配置される部分である。
【００３６】
側面片５の後側の辺からは、折り線５０を介して内側片３２Ｌが後側に延びている。同様に側面片４の後側の辺からは、折り線５１を介して内側片３２Ｒが後側に延びている。この内側片３２Ｌおよび内側片３２Ｒは、折り線５０および折り線５１にて内側に折り曲げられ、後述する側面片３の内側の面に当接するように配置される部分である。
【００３７】
内側片３２Ｌの辺のうち、山折り片６と隣接する辺であって、側面片５と隣接する端部には、台形の係止片３６Ｌが設けられている。また、係止片３６Ｌと内側片３２Ｌとの間には、折り線３８Ｌが設けられている。また、山折り片６と隣接する側面片５の辺の、内側片３２Ｌ側の端部には、当該辺の端部から、側面片５と内側片３２Ｌの間に設けられた折り線５０の端部に向かって延びる切り込み３７Ｌが設けられている。
【００３８】
なお係止片３６Ｌは、側面片５の内側片３２Ｌ側の端部に設けてもよい。
同様に、内側片３２Ｒにも略台形の係止片３６Ｒが設けられており、側面片４の端部から、側面片４と内側片３２Ｒの間に設けられた折り線５１の端部に向かって切り込み３７Ｒが設けられている。また、係止片３６Ｒと内側片３２Ｒとの間には、折り線３８Ｒが設けられている。なお係止片３６Ｒは、側面片４の内側片３２Ｒ側の端部に設けてもよい。また、係止片３６Ｌ及び係止片３６Ｒの形状は、三角形などの他の形状としても構わない。
【００３９】
この係止片３６Ｌ、および係止片３６Ｒが、実用新案登録の範囲における第一の係止部とされている。また、側面片４および内側片３２Ｒと、側面片５および内側片３２Ｌが、それぞれ実用新案登録請求の範囲において、第一の底面片から並び方向と交差する方向に延出する側面部とされている。
【００４０】
山折り片６の後側の辺には折り線４１が設けられており、折り線４１を介して底面片２２が後側に向かって延出している。底面片２２の右側および左側の辺からは、折り線４４および折り線４５を介して延出片３３Ｌおよび延出片３３Ｒがそれぞれ左右の方向に延出している。この延出片３３Ｌおよび延出片３３Ｒは折り線４４および折り線４５にて折り曲げられ、側面片５および側面片４の内側の面に当接するように配置される部分である。なお底面片２２が、実用新案登録請求の範囲における第二の底面片とされている。
【００４１】
底面片２２の折り線４１と向かい合う後側の辺からは、折り線４３を介して側面片３が後側に延出している。
なお、側面片３は主に側面Ｇを主に構成する部分であり、側面片２は側面Ｅを、側面片４は側面Ｆを、側面片５は側面Ｈをそれぞれ主に構成する部分である。
【００４２】
側面片３の折り線４３と向かい合う辺の左側の端部からは、二つの辺と円弧からなる扇型の支持部８Ｌが、一方の辺において折り線５６を介して延出している。そして支持部８Ｌの他の辺からは、折り線５８を介して係止片３４Ｌが延出している。係止片３４Ｌは、折り線５８から後側に延びる略Ｌ字型の形状をしており、延出片３３Ｌと向かい合う前側の辺は、辺の中心付近から後側に傾斜している。また、係止片３４Ｌの後側の辺の右側の端部には、切り欠き３５が設けられている。また、係止片３４Ｌの左側の辺は、折り線４４の延びた線と平行になっており、箱１を組み立てた際には、係止片３４Ｌの左側の辺が底面片２２と近接、または当接するようになっている。
【００４３】
側面片３の折り線４３と向かい合う辺の右側の端部からも同様に、扇型の支持部８Ｒが、一方の辺において折り線５７を介して延出しており、支持部８Ｒの他の辺からは、折り線５９を介して係止片３４Ｒが延出している。係止片３４Ｒは係止片３４Ｌと左右対称の形状をしており、後側の辺の左側の端部には切り欠き３５が設けられている。また、係止片３４Ｒの右側の辺は、折り線４５の延びた線と平行になっており、箱１を組み立てた際に係止片３４Ｒの右側の辺が底面片２２と近接、又は当接するようになっている。
【００４４】
この係止片３４Ｌおよび係止片３４Ｒは、箱１の組み立ての際に、それぞれ折り線５６〜折り線５９によって内側に折られ、側面片５および側面片４の内側の面に当接するように配置される部分である。
【００４５】
山折り片６の、側面片５と向かい合う辺の部分であって、底面片２０および底面片２２に近い部分から、それぞれ開口１３に向かって延びる円弧状の切り込み１２がそれぞれ延びている。また、山折り片６の側面片４と向かいあう辺の部分であって、底面片２０および底面片２２に近い部分から、それぞれ開口１３に向かって延びる円弧状の切り込み１２がそれぞれ延びている。この切り込み１２は、それぞれ、係止片３０Ｌ、係止片３０Ｒ、係止片３４Ｌ、係止片３４Ｒのそれぞれの端部に設けられた切り欠き３５が係止される部分である。なお、この切り込み１２は直線状の切り込みや、他の形状の切り込みであっても構わない。
【００４６】
山折り片６の側面片５と向かい合う辺の部分であって、切り込み１２と折り線４０の間、および切り込み１２と折り線４１の間の部分には、長方形の窪み３９が設けられている。この長方形の窪み３９の左右方向の長さは、シート部材２００の厚さと略同一である。山折り片６の側面片４と向かい合う辺の部分にも窪み３９が同様に設けられている。この窪み３９は、箱１の組み立ての際に、係止片３０Ｌ、係止片３０Ｒ、係止片３４Ｌおよび係止片３４Ｒの切り欠き３５が設けられた先端部が挿入される部分である。
【００４７】
なお、箱１を構成するシート部材は、係止片３６Ｒ、係止片３６Ｌおよび切り込み３７Ｌおよび切り込み３７Ｒを設けないシート部材２１０の様な構成としても構わない（図４参照）。
【００４８】
次に、図５〜図１０を参照しながら、箱１の組み立て方法を説明する。
まず、係止片３６Ｌおよび係止片３６Ｒを折り線３８Ｌ、折り線３８Ｒにそって内側の方向に折り曲げる（図５参照）。
【００４９】
次に、山折り線１１を山折りに、折り線４０および折り線４１を谷折りにして山折り片６を折り曲げながら、底面片２２を底面片２０の方向に近接させる。この際、延出片３３Ｌの後側の辺を係止片３６Ｌに、延出片３３Ｒの後側の辺を係止片３６Ｒに係止させる（図６参照）。このように係止させることで、たとえ手などによって支えていなくても、底面片２２が元の位置に戻ってしまうことを防ぐことができる。なお、図４のシート部材２１０のように係止片３６Ｌおよび係止片３６Ｒ等を設けない構成とした場合には、手や他の本考案の構成には含まれない部材等によって、底面片２２などを押さえておけばよい。
【００５０】
次に、延出片３３Ｌ、延出片３３Ｒを折り線４４および折り線４５に従って折り曲げ、さらに側面片５および側面片４をそれぞれ折り線４６および折り線４７に従って内側に折り曲げ、それぞれが底面片２２および底面片２０と略直角となるようにする（図７参照）。次に内側片３２Ｌおよび内側片３２Ｒを折り線５０および折り線５１に従って内側に折り曲げ、それぞれが側面片５および側面片４と略直角になるようにする（図８参照）。
【００５１】
次に、側面片３を折り線４３に沿って内側に折り曲げる。この際、係止片３４Ｌおよび係止片３４Ｒを、それぞれ側面片５および側面片４と平行になるように折り線５８および折り線５９にそって内側に折り曲げておく。そして、側面片３を折り曲げながら、支持部８Ｌおよび支持部８Ｒを、それぞれ折り線５６および折り線５７に従って内側に折り曲げる。この際、係止片３４Ｌおよび係止片３４Ｒの外側の面が、側面片５および側面片４の内側の面と当接し、係止片３４Ｌおよび係止片３４Ｒの下側の辺が底面片２２と最も近接するようにする（図９参照）。このようにすると、内側片３２Ｌは、側面片３の内側の面と、係止片３４Ｌの切り欠き３５が設けられた辺と向かい合う辺によって挟み込まれて固定されるため、側面片５の後側の端部が側面片３に固定される。同様に、内側片３２Ｒは、側面片３の内側の面と、係止片３４Ｒの切り欠き３５が設けられた辺と向かい合う辺によって挟み込まれて固定されるため、側面片４の後側の端部が側面片３に固定される。
【００５２】
次に、係止片３４Ｌの先端部分を山折り片６の左側の辺に設けられた窪み３９に差し込むように挿入する。そして、係止片３４Ｌの先端部に設けられた切り欠き３５を山折り片６の切り込み１２に係止する。係止片３４Ｒも同様にその先端部を側面片４の右側に設けられた窪み３９に挿入し、切り欠き３５を山折り片６の他方の切り込み１２に係止させる。
【００５３】
このようにすることで、係止片３４Ｌおよび係止片３４Ｒが山折り片６に係止されるため、側面片３が山折り片６に固定される。そのため、箱１を組み立てた後に、係止片３４Ｌや係止片３４Ｒが外れて箱１が分解してしまうことが抑制される。
【００５４】
内側片３１Ｌ、内側片３１Ｒ、側面片２、係止片３０Ｌ、係止片３０Ｒ、支持部７Ｌ、および支持部７Ｒも同様に折り曲げる。係止片３０Ｌを側面片５の内側の面に当接するように配置し、その先端部を山折り片６の右側の辺に設けられた窪み３９に差し込むように挿入する。そして、先端の切り欠き３５を、切り込み１２に係止する。同様に、係止片３０Ｒを側面片４の内側の面に当接するように配置し、その先端部を山折り片６の左側の辺に設けられた窪み３９に差し込むように挿入する。そして、先端部の切り欠き３５と、山折り片６の他方の切り込み１２に係止させる。
【００５５】
このようにすることで、内側片３１Ｌは側面片２の内側の面と、係止片３０Ｌの切り欠き３５が設けられた辺と向かい合う辺によって挟み込まれて固定され、側面片５の前側の端部は側面片２に固定される。同様に、内側片３１Ｒは側面片２の内側の面と、係止片３０Ｒの切り欠き３５が設けられた辺と向かい合う辺によって挟み込まれて固定され、側面片４の前側の端部は側面片２に固定される。また、係止片３０Ｌおよび係止片３０Ｒが山折り片６に固定されるため、側面片２が山折り片６に固定される。そのため、箱１を組み立てた後に、係止片３４Ｌや係止片３４Ｒが外れて箱１が分解してしまうことが抑制される。
【００５６】
上記の構成からなる箱１によれば、持ち手部Ｄが設けられていることから、持ちやすい箱１を提供することができる。また、底面Ｃに他の箱１の持ち手部Ｄが挿入可能な挿入空間２１が設けられていることから、複数の箱１を積み上げる場合でも、持ち手部Ｄがその妨げになることはない。更には、下側に隣接する箱１の持ち手部Ｄと上側に隣接する箱１の挿入空間２１が係止されるため、積み重ねた箱１が前後方向、左右方向にずれにくく、安定して箱１を積み重ねやすくなる。
【００５７】
また、箱１の開口部の各角部に設けられた板状の支持部材７Ｌ等は、上側に積み重ねられた箱１と接触し支えることができる。このため、支持部材７Ｌ等がない場合と比較して上側に積み重ねられた箱１との接触面積が広く、例えば上側に積み重ねられた箱１の内容物が重い場合であっても、支持することが容易となる。
【００５８】
また、支持部７Ｌは、側面片２と係止片３０Ｌに接合されているため、支持部７Ｌに力が加えられた場合には、その力は、側面片２と、係止片３０Ｌを介して底面片２０に伝えられる。支持部７Ｒ、支持部８Ｌおよび支持部８Ｒも同様で、支持部７Ｒに加えられた力は側面片２および係止片３０Ｒを介して底面片２０に伝えられ、支持部８Ｌおよび支持部８Ｒに加えられた力は、側面片３および係止片３４Ｌ、３４Ｒを介して底面片２０に伝えられる。このため、箱１を複数積み上げたとしても荷重が分散されるため、一部に荷重が集中して壊れてしまうおそれが少ない。
【００５９】
更には、箱１を構成するシート部材２００は一枚のシートから構成されているため、製造および組み立ても容易である。
また、係止片３６および係止片３６Ｒを設けていることから、箱１の組み立ての際に、底面片２２から延出している延出片３３Ｌおよび延出片３３Ｒをそれぞれ係止片３６Ｌ、係止片３６Ｒに係止することができる。箱１を組み立てる際には、持ち手部Ｄを形成するために山折り片６を山折りにする必要があるが、山折りにした山折り片６を手などで押さえていなければ、シート部材の復元力によって山折りの状態から元の平面の状態に戻ってしまう。しかしながら、このように延出片３３Ｌおよび延出片３４Ｒが係止可能な係止部３６Ｌおよび係止片３６Ｒを設ければ、手などで底面片２２などを押さえる必要がなく、容易に箱１の組み立て作業を行うことが可能となる。
【００６０】
また側面片４は、側面片４から延びる内側片３１Ｒを、側面片２および側面片２から延びる係止片３０Ｒの間に挟み込み、側面片４から延びる内側片３２Ｒを、側面片３および側面片３から延びる係止片３４Ｒの間に挟みこむことにより、側面片２および側面片３に対して固定される。また、側面片５も同様に、側面片５から延びる内側片３１Ｌを、側面片２および側面片２から延びる係止片３０Ｌの間に挟み込み、側面片５から延びる内側片３２Ｌを、側面片３および側面片３から延びる係止片３４Ｌの間に挟みこむことにより、側面片２および側面片３に対して固定される。そして、側面片２は、係止片３０Ｌおよび係止片３０Ｒの先端に設けられた切り欠き３５を、山折り片６の切り込み１２に係止することによって固定される。また、側面片３は、係止片３４Ｌおよび係止片３４Ｒの先端に設けられた切り欠き３５を、山折り片６の切り込み１２に係止することによって固定される。
【００６１】
このようにされた箱１では、各片を折り曲げ、係止片３０Ｌ、係止片３０Ｒ、係止片３４Ｌ、および係止片３４Ｒを山折り片６に係止するだけの簡単な作業で、箱の側面を固定することが可能となる。また、各切り欠き３５を山折り片６に設けられたそれぞれに対応する切り込み１２に係止することで、係止片３０Ｌ、係止片３０Ｒ、係止片３４Ｌおよび係止片３４Ｒの係止が外れ、箱１が分解してしまうことを抑制することができる。
【００６２】
なお、係止片３０Ｌおよび係止片３０Ｒを山折り片６の切り込み１２に係止する際には、係止片３０Ｌおよび係止片３０Ｒの先端部を山折り片６の窪み３９に差し込む必要がある。この際、山折り片６は山折り線１１を頂点にして逆Ｖ字状に折り曲げられているため、山折りされた山折り片６に挟まれた領域には空間（挿入空間２１）ができている。このため、山折り片６の切り込み１２の設けられた部分は、挿入空間２１の方向に押し込むことがきるため、係止片３０Ｌおよび係止片３０Ｒの先端部を容易に挿入することができる。係止片３４Ｌおよび係止片３４Ｒを他の切り込み１２に係止させる場合も同様である。
【００６３】
また、内側片３２Ｌおよび内側片３２Ｒは、側面片３と係止片３４Ｌおよび側面片３と係止片３４Ｒに挟まれて固定されているため、支持部８Ｌおよび支持部８Ｒに力が加わると、その力の一部が係止片３４Ｌおよび係止片３４Ｒに伝わり、内側片は更に強く挟み込まれることになる。このため、上からの荷重によって側面片３と側面片５および側面片４との固定が外れてしまうようなおそれも少ない。
【００６４】
同様に、内側片３１Ｌおよび内側片３１Ｒは、側面片２と係止片３０Ｌおよび側面片２と係止片３０Ｒに挟まれて固定されているため、支持部７Ｌおよび支持部７Ｒに力が加わると、その一部が係止片３０Ｌおよび係止片３０Ｒに伝わり、内側片は更に強く挟み込まれることになる。このため、上からの荷重によって側面片２と側面片５および側面片４との固定が外れてしまう様なおそれも少ない。
【００６５】
更に、箱１は蓋部１００を設けることも可能である。この蓋部１００は、持ち手部Ｄに対応したスリット１１０を有しているため、持ち手部Ｄに阻害されることなく、箱１の開口部を覆うことが可能である。したがって、外部からの異物の進入を有効に抑制することができる。
【００６６】
なお、本考案の技術範囲は上記実施形態に限定されるものではなく、本考案の趣旨を逸脱しない範囲において種々の変更を加えることが可能である。例えば、本実施例では、山折り片６の中心付近に略Ｖ字の切り込みを設け、持ち手部Ｄが略Ｕの形状をなすようにしているが、このような切り込みを設けず、持ち手部Ｄを長方形の形状としたものとしてもよい。また、支持部７Ｌ、支持部７Ｒ、支持部８Ｌおよび支持部８Ｒは扇形の形状ではなく、三角形など他の形状をしたものでもよい。また、本実施例では、延出部３３Ｌ、３３Ｒを係止する係止部として、折り線３８Ｌ、３８Ｒにて折り曲げた係止片３６Ｌ、３６Ｒを示したが、係止部としてはこれに限定される訳ではなく、例えば側面片４、５や内側片３６Ｌ、３６Ｒの表面から内側の方向に突出する凸部を設けた構成としてもよく、他の構成であっても構わない。
【符号の説明】
【００６７】
１  箱
２  側面片
３  側面片
４  側面片
５  側面片
６  山折り片
７Ｌ、７Ｒ  支持部
８Ｌ、８Ｒ  支持部
１１  山折り線
１２  切り込み
１３  開口
２０  底面片
２１  挿入空間
２２  底面片
３０Ｌ、３０Ｒ  係止片
３１Ｌ、３１Ｒ、３２Ｌ、３２Ｒ  内側片
３３Ｌ、３３Ｒ  延出片
３４Ｌ、３４Ｒ、３６Ｌ、３６Ｒ  係止片
３５  切り欠き
３７Ｌ、３７Ｒ  切り込み
３８Ｌ、３８Ｒ  折り線
３９  窪み
４０〜５９  折り線
１００  蓋部
１１０  スリット
１２０  折り曲げ片
２００、２１０  シート部材
Ａ、Ｂ  収納空間
Ｃ  底面
Ｄ  持ち手部
Ｅ〜Ｈ  側面
【図１】
0003197451.tif 000003
【図２】
0003197451.tif 000004
【図３】
0003197451.tif 000005
【図４】
0003197451.tif 000006
【図５】
0003197451.tif 000007
【図６】
0003197451.tif 000008
【図７】
0003197451.tif 000009
【図８】
0003197451.tif 000010
【図９】
0003197451.tif 000011
【図１０】
0003197451.tif 000012
【手続補正書】
【提出日】平成27年3月5日(2015.3.5)
【手続補正１】
【補正対象書類名】実用新案登録請求の範囲
【補正対象項目名】請求項５
【補正方法】変更
【補正の内容】
【請求項５】
前記底面部を構成する前記板状部材は、
前記底面部を構成する前記第一の底面片および前記第二の底面片と、
前記第一の底面片および前記第二の底面片の間に配置され、折り曲げられることにより前記持ち手部となる前記山折り片と、
を少なくとも有し、
前記４つの側面部のうち前記第一の底面片および前記第二の底面片の少なくとも一方から前記並び方向へ延出する前記側面部には、前記角筒体の内側へ折り曲げることにより、隣接する前記側面部から延びる内側片を間に挟んで保持する係止片が設けられ、
前記山折り片には、折り曲げられた前記係止片の先端が係止可能な第二の係止部が設けられていることを特徴とする請求項４に記載の箱。